(57)【特許請求の範囲】
【請求項１】
上部部材と下部部材を有する筐体と、該筐体に軸方向の移動と回転とが可能に支持された操作軸と、該操作軸にスプライン結合されて、前記操作軸の回転と共に回転するホルダーと、該ホルダーを前記筐体の前記下部部材側に付勢する弾性部材と、前記操作軸の軸方向の移動によって操作されるプッシュスイッチと、前記操作軸の回転によって操作される回転型電気部品とを備え、前記操作軸と別体のスペーサを設け、該スペーサと前記ホルダーとの間に前記弾性部材を介在して、前記弾性部材により前記ホルダーを前記下部部材側に付勢するようにし、前記スペーサを前記操作軸にスプライン結合して、前記操作軸の回転と共に、前記スペーサを回転するようにしたことを特徴とするプッシュスイッチ付き回転型電気部品。
【請求項２】
前記スペーサは、リング状をなすと共に、中央部に設けられた非円形の孔と周縁部に設けられた肩部を有し、前記弾性部材はコイルバネからなり、このコイルバネを前記スペーサの肩部と前記ホルダーとの間に介在させたことを特徴とする請求項１記載のプッシュスイッチ付き回転型電気部品。
【請求項３】
前記ホルダーと前記筐体の前記下部部材とが対向する面に凹凸部を設け、前記ホルダーが回転した時、前記弾性部材の付勢によって、前記凹凸部が係脱を行ってクリック動作を行うようにしたことを特徴とする請求項１、又は２記載のプッシュスイッチ付き回転型電気部品。
【発明の詳細な説明】
【０００１】
【発明の属する技術分野】
本発明は、種々の電子機器に使用して好適なプッシュスイッチ付き回転型電気部品に関する。
【０００２】
【従来の技術】
従来のプッシュスイッチ付き回転型電気部品を図２に基づいて説明すると、合成樹脂の成型品からなる箱形の筺体２１は、上部部材２２と下部部材２３で構成され、上部部材２２は、空洞部２２ａと、上壁の中央部に設けられた孔２２ｂとを有し、また、下部部材２３は、下壁の中央部に設けられた筒状部２３ａと、下壁の内面に設けられた凹凸部２３ｂとを有し、上部部材２２と下部部材２３を組み合わせて、収納部を形成している。
【０００３】
また、操作軸２４は、金属からなる軸部２５と、合成樹脂の成型品からなる駆動体２６で構成され、軸部２５は、溝部２５ａと、非円形状の突部２５ｂを有し、また、駆動体２６は、胴部２６ａの中央部に設けられ、非円形状を有する凹部２６ｂと、胴部２６ａから下方に突出する円柱状の突部２６ｃと、胴部２６ａの上端部に設けられた鍔部２６ｄと、胴部２６ａと鍔部２６ｄにわたって上下方向に切り欠きされた切り欠き部２６ｅとを有する。
【０００４】
そして、軸部２５は、その突部２５ｂを駆動体２６の凹部２６ｂに圧入されて、一体的に形成されて、操作軸２４が構成され、このような操作軸２４は、軸部２５を上部部材２２の孔２２ｂに挿通され、溝部２５ａにワッシャー３４を取り付けて操作軸２４の抜け止めをすると共に、駆動体２６の突部２６ｃを下部部材２３の筒状部２３ａに挿入して取り付けられ、操作軸２４は、軸方向の移動と回転とが可能に筺体２１に取り付けられている。
【０００５】
また、エンコーダ等からなる回転型電気部品Ｋは、ホルダー２７と、ホルダー２７の外周に取り付けられた磁石２８と、筺体２１に取り付けられたホール素子２９とで構成されている。
そして、ホルダー２７は、中央部に設けられた孔２７ａと、孔２７ａに突出する突部２７ｂと、下面に設けられた凹凸部２７ｃとを有し、このホルダー２７は、筺体２１内に収納され、孔２７ａには駆動体２６を挿通すると共に、突部２７ｂが駆動体２６の切り欠き部２６ｅ内に位置してスプライン結合され、且つ、凹凸部２７ｃは、筺体２１の凹凸部２３ｂと対面した状態となっている。
【０００６】
また、弾性部材３０は、コイルバネからなり、この弾性部材３０は、ホルダー２７の上端部と駆動体２６の鍔部２６ｄとの間に介在され、この弾性部材３０により、ホルダー２７を下部部材２３側に弾圧して、凹凸部２７ｃを凹凸部２３ｂに圧接すると共に、駆動体２６を介して軸部２５を上方に押圧している。
そして、操作軸２４を軸方向に押圧すると、ホルダー２７は移動することなく、操作軸２４だけが弾性部材３０に抗して下方に移動し、また、操作軸２４を回転すると、駆動体２６がホルダー２７の突部２７ｂを引っかけてホルダー２７を回転する。
そして、操作軸２４の回転時、弾性部材３０に抗して、ホルダー２７の凹凸部２７ｃが筺体２１の凹凸部２３ｂと係脱するように、ホルダー２７が軸方向に僅かに移動し、操作軸２４はクリック感を持って回転するようになる。
また、ホルダー２７の回転に伴って磁石２８が回転し、これによって、ホール素子２９の信号を切り換えるようになる。
【０００７】
また、プッシュスイッチＰは、絶縁基板３１に取り付けられた固定接点３２と、固定接点３２上に配置され、皿状の金属板からなる可動接点３３とで構成され、そして、このプッシュスイッチＰは、可動接点３３が駆動体２６の突部２６ｃと対向した状態で、絶縁基板３１を下部部材２３の下面に取り付けられている。
【０００８】
次に、従来のプッシュスイッチ付き回転型電気部品の動作を説明すると、先ず、操作軸２４を弾性部材３０に抗して軸方向に押圧すると、駆動体２６が可動接点３３を押圧し、すると、可動接点３３が反転して中央の固定接点３２に接触して、接点の切り換えが行われる。
この時、操作軸２４の回転におけるクリック動作を大きくするために、弾性部材３０のバネ力が大きく、従って、可動接点３３の反転動作による感触が無くなり、プッシュスイッチＰの切り換え動作が感知できなくなる。
また、操作軸２４の押圧を解除すると、操作軸２４は弾性部材３０によって元の押圧前の状態に戻ると共に、可動接点３３も自己復帰して、元の状態に戻る。
次に、操作軸２４を回転すると、駆動体２６を介してホルダー２７が回転する。
すると、凹凸部２７ｃと凹凸部２３ｂとによって、操作軸２４がクリック感触を持って動作すると共に、ホルダー２７の回転により、磁石２８が回転して、ホール素子２９の信号を切り換えるようになる。
【０００９】
【発明が解決しようとする課題】
従来のプッシュスイッチ付き回転型電気部品は、操作軸２４を構成する駆動体２６とホルダー２７との間に弾性部材３０を介在したものであるため、操作軸２４を押圧した時、弾性部材３０のバネ性が大きく、このため、プッシュスイッチＰの切り換え感触が感知できないという問題がある。
【００１０】
【課題を解決するための手段】
上記課題を解決するための第１の解決手段として、上部部材と下部部材を有する筐体と、該筐体に軸方向の移動と回転とが可能に支持された操作軸と、該操作軸にスプライン結合されて、前記操作軸の回転と共に回転するホルダーと、該ホルダーを戦記筐体の前記下部部材側に付勢する弾性部材と、前記操作軸の軸方向の移動によって操作されるプッシュスイッチと、前記操作軸の回転によって操作される回転型電気部品とを備え、前記操作軸と別体のスペーサを設け、該スペーサと前記ホルダーとの間に前記弾性部材を介在して、前記弾性部材により前記ホルダーを前記下部部材側に付勢するようにし、前記スペーサを前記操作軸にスプライン結合して、前記操作軸の回転と共に、前記スペーサを回転するようにした構成とした。
また、第２の解決手段として、前記スペーサは、リング状をなすと共に、中央部に設けられた非円形の孔と周縁部に設けられた肩部を有し、前記弾性部材はコイルバネからなり、このコイルバネを前記スペーサの肩部と前記ホルダーとの間に介在させた構成とした。
また、第３の解決手段として、前記ホルダーと前記筐体の前記下部部材とが対向する面に凹凸部を設け、前記ホルダーが回転した時、前記弾性部材の付勢によって、前記凹凸部が係脱を行ってクリック動作を行うようにした構成とした。
【００１１】
【発明の実施の形態】
本発明のプッシュスイッチ付き回転型電気部品を図１に基づいて説明すると、合成樹脂の成型品からなる箱形の筺体１は、上部部材２と下部部材３で構成され、上部部材２は、空洞部２ａと、上壁の中央部に設けられた孔２ｂとを有し、また、下部部材３は、下壁の中央部に設けられた筒状部３ａと、下壁の内面に設けられた凹凸部３ｂとを有し、上部部材２と下部部材３を組み合わせて、収納部を形成している。
【００１２】
また、操作軸４は、金属からなる軸部５と、合成樹脂の成型品からなる駆動体６で構成され、軸部５は、溝部５ａと、非円形状の突部５ｂを有し、また、駆動体６は、胴部６ａの中央部に設けられ、非円形状を有する凹部６ｂと、胴部６ａから下方に突出する円柱状の突部６ｃと、胴部６ａが上下方向に切り欠きされた切り欠き部６ｄとを有する。
【００１３】
そして、軸部５は、その突部５ｂを駆動体６の凹部６ｂに圧入されて、一体的に形成されて、操作軸４が構成され、このような操作軸４は、軸部５を上部部材２の孔２ｂに挿通され、溝５ａにワッシャー１４を取り付けて操作軸４の抜け止めをすると共に、駆動体６の突部６ｃを下部部材３の筒状部３ａに挿入して取り付けられ、操作軸４は、軸方向の移動と回転とが可能に筺体１に取り付けられている。
【００１４】
また、エンコーダ等からなる回転型電気部品Ｋは、ホルダー７と、ホルダー７の外周に取り付けられた磁石８と、筺体１に取り付けられたホール素子９とで構成されている。
そして、ホルダー７は、中央部に設けられた孔７ａと、孔７ａに突出する突部７ｂと、下面に設けられた凹凸部７ｃとを有し、このホルダー７は、筺体１内に収納され、孔７ａには駆動体６を挿通すると共に、突部７ｂが駆動体６の切り欠き部６ｄ内に位置してスプライン結合され、且つ、凹凸部７ｃは、筺体１の凹凸部３ｂと対面した状態となっている。
また、合成樹脂の成型品からなるスペーサ１５は、リング状をなし、中央部に設けられた非円形の孔１５ａと、周縁部に設けられた肩部１５ｂを有する。
そして、このスペーサ１５は、筺体１の上壁に位置した状態で筺体１内に収納されると共に、孔１５ａには軸部５が挿通されて、スプライン結合されており、操作軸４を軸方向に移動した時、スペーサ１５は移動せず、また、操作軸４を回転した時、スペーサ１５は共に回転するようになっている。
【００１５】
また、弾性部材１０は、コイルバネからなり、この弾性部材１０は、ホルダー７の上端部とスペーサ１５の肩部１５ｂとの間に介在され、この弾性部材１０により、ホルダー７を下部部材３側に弾圧して、凹凸部７ｃを凹凸部３ｂに圧接し、操作軸４には、弾性部材１０による力がかからないようになっている。
そして、操作軸４を軸方向に押圧すると、スペーサ１５とホルダー７は移動することなく、且つ、弾性部材１０の力がかかること無く、操作軸４だけが下方に移動し、また、操作軸４を回転すると、駆動体６がホルダー７の突部７ｂを引っかけてホルダー７を回転する。
そして、操作軸４の回転時、弾性部材１０に抗して、ホルダー７の凹凸部７ｃが筺体１の凹凸部３ｂと係脱するように、ホルダー７が軸方向に僅かに移動し、操作軸４はクリック感を持って回転するようになる。
また、ホルダー７の回転に伴って磁石９が回転し、これによって、ホール素子９の信号を切り換えるようになる。
【００１６】
また、プッシュスイッチＰは、絶縁基板１１に取り付けられた固定接点１２と、固定接点１２上に配置され、皿状の金属板からなる可動接点１３とで構成され、そして、このプッシュスイッチＰは、可動接点１３が駆動体６の突部６ｃと対向した状態で、絶縁基板１１が下部部材３の下面に取り付けられている。
【００１７】
次に、本発明のプッシュスイッチ付き回転型電気部品の動作を説明すると、先ず、操作軸４を軸方向に押圧すると、駆動体６が可動接点１３を押圧し、すると、可動接点１３が反転して中央の固定接点１２に接触して、接点の切り換えが行われる。
この時、操作軸４には、可動接点１３の反転運動が伝わり、プッシュスイッチＰの切り換え感触が感知できるようになる。
また、操作軸４の押圧を解除すると、操作軸４は、可動接点１３の自己復帰力により元の状態に戻ると共に、プッシュスイッチＰも元の状態に戻る。
次に、操作軸４を回転すると、スペーサ１５が回転すると共に、駆動体６を介してホルダー７が回転する。
この時、スペーサ１５の回転を良くするため、スペーサ１５と筺体１との間には、グリスが設けられている。
そして、ホルダー７の回転により、凹凸部７ｃと凹凸部３ｂとによって、操作軸４がクリック感触を持って動作すると共に、ホルダー７の回転により、磁石８が回転して、ホール素子９の信号を切り換えるようになる。
このようにして、プッシュスイッチ付き回転型電気部品の操作が行われる。
【００１８】
なお、前記実施例において、スペーサ１５は、非円形の孔１５ａを設けたもので説明したが、円形状の孔１５ａでも良く、また、クリック動作のための凹凸部は、スペーサ１５と筺体１との間に設けても良い。
また、回転型電気部品Ｋは、エンコーダの他に、ロータリースイッチ、回転型可変抵抗器等でも良い。
【００１９】
【発明の効果】
本発明は、操作軸と別体のスペーサを設け、該スペーサとホルダーとの間に弾性部材を介在して、弾性部材によりホルダーを下部部材側に付勢するようにし、スペーサを操作軸にスプライン結合して、操作軸の回転と共に、スペーサを回転するようにしたため、操作軸のプッシュ動作時に、弾性部材の力がかからず、従って、操作軸には、プッシュスイッチの可動接点の反転運動が伝わり、プッシュスイッチの切り換え感触が感知できるプッシュスイッチ付き回転型電気部品を提供できる。
また、この構成によって、クリック動作の強弱の要求に合わせた弾性部材が自由に選択できるプッシュスイッチ付き回転型電気部品を提供できる。
また、スペーサを操作軸にスプライン結合して、操作軸の回転と共に、スペーサを回転するようにしたため、操作軸の回転操作時に弾性部材の捻りが無く、回転動作の良好なプッシュスイッチ付き回転型電気部品を提供できる。
【００２０】
また、ホルダーと筐体の下部部材とが対向する面に凹凸部を設け、ホルダーが回転した時、弾性部材の付勢によって、凹凸部が係脱しを行ってクリック動作を行うようにしたため、その構成が簡単で、生産性の良いプッシュスイッチ付き回転型電気部品を提供できる。
【図面の簡単な説明】
【図１】本発明のプッシュスイッチ付き回転型電気部品の断面図。
【図２】従来のプッシュスイッチ付き回転型電気部品の断面図。
【符号の説明】
１  筺体
２  上部部材
２ａ  空洞部
２ｂ  孔
３  下部部材
３ａ  筒状部
３ｂ  凹凸部
４  操作軸
５  軸部
５ａ  溝部
５ｂ  突部
６  駆動体
６ａ  胴部
６ｂ  凹部
６ｃ  突部
６ｄ  切り欠き部
Ｋ  回転型電気部品
７  ホルダー
７ａ  孔
７ｂ  突部
７ｃ  凹凸部
８  磁石
９  弾性部材
１０  プッシュスイッチ
１１  絶縁基板
１２  固定接点
１３  可動接点
１４  ワッシャー
１５  スペーサ
１５ａ  孔
１５ｂ  肩部
【図１】
0003665500.tif 000002
【図２】
0003665500.tif 000003